【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
少なくとも一つのプレイアイテム及び少なくとも一つのサブパスを含むプレイリストを格納する記録領域を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、前記記録媒体に記録された補充データの再生を管理するための管理情報、及び前記補充データの再生を前記メインデータの再生に同期させるための同期化情報を提供するための同期化データフィールドを含み、
前記タイプ指示子は、前記サブパスによって管理される前記補充データのタイプを指示し、前記同期化情報が有効か無効かを表すことを特徴とする記録媒体。
【請求項２】
前記タイプ指示子は、前記補充データのタイプがスライドショーのためのオーディオ、インタラクティブグラフィックプレゼンテーションメニュー及びテキストサブタイトルプレゼンテーションのいずれか一つであることを指示することを特徴とする請求項１に記載の記録媒体。
【請求項３】
前記タイプ指示子によって前記補充データのタイプが前記スライドショーのためのオーディオまたは前記インタラクティブグラフィックプレゼンテーションメニューであると指示される場合、前記タイプ指示子は、前記同期化情報が無効で、且つ、前記サブパスが前記プレイアイテムと同期しないことを表すことを特徴とする請求項２に記載の記録媒体。
【請求項４】
前記タイプ指示子によって前記補充データのタイプが前記テキストサブタイトルプレゼンテーションであることが指示される場合、前記タイプ指示子は、前記同期化情報が有効で、且つ、前記サブパスが前記プレイアイテムと同期されることを表すことを特徴とする請求項２に記載の記録媒体。
【請求項５】
前記同期化情報は、何時前記サブプレイアイテムのプレゼンテーションを開始するかを指示するプレゼンテーション時刻をプレイアイテム内で提供することを特徴とする請求項４に記載の記録媒体。
【請求項６】
前記サブプレイアイテムは、当該サブプレイアイテムを同期させるべき前記プレイアイテムを識別する同期化プレイアイテム識別子をさらに含むことを特徴とする請求項５に記載の記録媒体。
【請求項７】
前記タイプ指示子は、前記補充データタイプがテキストサブタイトルプレゼンテーションであることを指示し、前記同期化情報が有効であることを表すことを特徴とする請求項１に記載の記録媒体。
【請求項８】
前記同期化情報は、何時前記サブプレイアイテムのプレゼンテーションを開始するかを指示するプレゼンテーション時刻をプレイアイテム内で提供することを特徴とする請求項７に記載の記録媒体。
【請求項９】
前記サブプレイアイテムは、当該サブプレイアイテムを同期させるべき前記プレイアイテムを識別する同期化プレイアイテム識別子をさらに含むことを特徴とする請求項８に記載の記録媒体。
【請求項１０】
前記同期化情報は、当該同期化情報が有効であるとき、何時前記サブプレイアイテムのプレゼンテーションを開始するかを指示するプレゼンテーション時刻をプレイアイテム内に提供することを特徴とする請求項１に記載の記録媒体。
【請求項１１】
前記サブプレイアイテムは、当該サブプレイアイテムを同期させるべき前記プレイアイテムを識別する同期化プレイアイテム識別子をさらに含むことを特徴とする請求項１０に記載の記録媒体。
【請求項１２】
前記サブプレイアイテムは、一つ以上のクリップ情報ファイルを識別し、識別された前記クリップ情報ファイルの各々は、前記記録媒体から再生するための前記補充データの関連クリップを指示し、前記クリップの各々の前記補充データは、前記記録媒体に記録された前記メインデータの少なくとも一部と関連し、前記サブプレイアイテムは、前記関連クリップのための一つのプレゼンテーション間隔を指示することを特徴とする請求項１に記載の記録媒体。
【請求項１３】
前記サブプレイアイテムによって識別された前記クリップ情報ファイルは、多様な言語テキストサブタイトルのクリップを指示することを特徴とする請求項１２に記載の記録媒体。
【請求項１４】
識別された前記クリップ情報ファイルの各々は、関連クリップ内の補充データのアプリケーションタイプを指示するアプリケーションタイプ指示子を提供し、前記タイプ指示子はアプリケーションタイプを表すことを特徴とする請求項１２に記載の記録媒体。
【請求項１５】
前記タイプ指示子によって前記補充データのタイプがテキストサブタイトルであると指示される場合、前記タイプ指示子は、識別された前記クリップ情報ファイルによって提供される前記アプリケーションタイプ指示子により、前記関連クリップ内の前記補充データの前記アプリケーションタイプがテキストサブタイトルであると指示されていることを示すことを特徴とする請求項１２に記載の記録媒体。
【請求項１６】
記録媒体から少なくとも一つのプレイアイテム及び少なくとも一つのサブパスを含むプレイリストを再生する段階を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、前記記録媒体に記録された補充データの再生を管理するための管理情報、及び前記補充データの再生を前記メインデータの再生に同期させるための同期化情報を提供するための同期化データフィールドを含み、
前記タイプ指示子は、前記サブパスによって管理される前記補充データのタイプを指示し、前記同期化情報が有効か無効かを表すことを特徴とするデータ構造再生方法。
【請求項１７】
記録媒体に少なくとも一つのプレイアイテム及び少なくとも一つのサブパスを含むプレイリストを記録する段階を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、前記記録媒体に記録された補充データの再生を管理するための管理情報、及び前記補充データの再生を前記メインデータの再生に同期させるための同期化情報を提供するための同期化データフィールドを含み、
前記タイプ指示子は、前記サブパスによって管理される前記補充データのタイプを指示し、前記同期化情報が有効か無効かを表すことを特徴とするデータ構造記録方法。
【請求項１８】
記録媒体に記録されたデータを再生するために光再生装置を駆動する駆動部と、
前記記録媒体から少なくとも一つのプレイアイテム及び少なくとも一つのサブパスを含むプレイリストを再生するために前記駆動部を制御する制御部と、を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、前記記録媒体に記録された補充データの再生を管理するための管理情報、及び前記補充データの再生を前記メインデータの再生に同期させるための同期化情報を提供するための同期化データフィールドを含み、
前記タイプ指示子は、前記サブパスによって管理される前記補充データのタイプを指示し、前記同期化情報が有効か無効かを表すことを特徴とするデータ構造再生装置。
【請求項１９】
記録媒体にデータを記録するために光記録装置を駆動する駆動部と、
前記記録媒体に少なくとも一つのプレイアイテム及び少なくとも一つのサブパスを含むプレイリストを記録するために前記駆動部を制御する制御部と、を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、前記記録媒体に記録された補充データの再生を管理するための管理情報、及び前記補充データの再生を前記メインデータの再生に同期させるための同期化情報を提供するための同期化データフィールドを含み、
前記タイプ指示子は、前記サブパスによって管理される前記補充データのタイプを指示し、前記同期化情報が有効か無効かを表すことを特徴とするデータ構造記録装置。
【請求項２０】
少なくとも一つのプレイアイテム及び少なくとも一つのサブパスを含むプレイリストを格納する記録領域を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、少なくとも一つのクリップ情報ファイルを識別し、
識別された前記クリップ情報ファイルの各々は、前記記録媒体から再生するための補充データの関連クリップを指示し、当該関連クリップ内の補充データのアプリケーションタイプを指示するアプリケーションタイプ指示子を提供し、
前記タイプ指示子は、前記サブパスによって管理される前記補充データのタイプを指示し、前記アプリケーションタイプを表すことを特徴とする記録媒体。
【請求項２１】
前記タイプ指示子によって前記補充データのタイプがテキストサブタイトルであると指示される場合、前記タイプ指示子は、識別された前記クリップ情報ファイルによって提供される前記アプリケーションタイプ指示子により、前記関連クリップ内の前記補充データの前記アプリケーションタイプがテキストサブタイトルであると指示されていることを示すことを特徴とする請求項２０に記載の記録媒体。
【請求項２２】
前記サブプレイアイテムは、一つ以上のクリップ情報ファイルを識別し、識別された前記クリップ情報ファイルの各々は、前記記録媒体から再生するための前記補充データの関連クリップを指示し、前記クリップの各々の前記補充データは、前記記録媒体に記録された前記メインデータの少なくとも一部と関連し、前記サブプレイアイテムは、前記関連クリップのための一つのプレゼンテーション間隔を指示することを特徴とする請求項２０に記載の記録媒体。
【請求項２３】
前記サブプレイアイテムによって指定された前記クリップ情報ファイルは、多様な言語テキストサブタイトルのクリップを指示することを特徴とする請求項２２に記載の記録媒体。
【請求項２４】
前記タイプ指示子は、前記補充データのタイプがスライドショーのためのオーディオ、インタラクティブグラフィックプレゼンテーションメニュー及びテキストサブタイトルプレゼンテーションのいずれか一つであることを指示することを特徴とする請求項２０に記載の記録媒体。
【請求項２５】
記録媒体から少なくとも一つのプレイアイテム及び少なくとも一つのサブパスを含むプレイリストを再生する段階を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、少なくとも一つのクリップ情報ファイルを識別し、
識別された前記クリップ情報ファイルの各々は、前記記録媒体から再生するための補充データの関連クリップを指示し、当該関連クリップ内の補充データのアプリケーションタイプを指示するアプリケーションタイプ指示子を提供し、
前記タイプ指示子は、前記サブパスによって管理される前記補充データのタイプを指示し、前記アプリケーションタイプを表すことを特徴とするデータ構造再生方法。
【請求項２６】
記録媒体に少なくとも一つのプレイアイテム及び少なくとも一つのサブパスを含むプレイリストを記録する段階を含み、
前記プレイアイテムは、前記記録媒体に記録されたメインデータの再生を管理するための管理情報を含み、
前記サブパスは、少なくとも一つのサブプレイアイテム及びタイプ指示子を含み、
前記サブプレイアイテムは、少なくとも一つのクリップ情報ファイルを識別し、
識別された前記クリップ情報ファイルの各々は、前記記録媒体から再生するために補充データの関連クリップを指示し、当該関連クリップ内の補充データのアプリケーションタイプを指示するアプリケーションタイプ指示子を提供し、
前記タイプ指示子は、前記サブパスによって管理される前記補充データのタイプを指示し、前記アプリケーションタイプを表すことを特徴とするデータ構造記録方法。
【請求項２７】
記録媒体に記録されたデータを再生するために光再生装置を駆動する駆動部と、
前記記録媒体から少なくとも一つのプレイアイテム及び少なくとも一つのサブパスを含むプレイリストを再生するために前記駆動部を制御する制御部と、を含み、
前記プレイアイテムは、記録媒体に記録されたメインデータの再生を管理するための管理情報を含み、
前記サブパスは、少なくとも一つのサブプレイアイテム及びタイプ指示子を含み、
前記サブプレイアイテムは、少なくとも一つのクリップ情報ファイルを識別し、
識別された前記クリップ情報ファイルの各々は、前記記録媒体から再生するための補充データの関連クリップを指示し、当該関連クリップ内の補充データのアプリケーションタイプを指示するアプリケーションタイプ指示子を提供し、
前記タイプ指示子は、前記サブパスによって管理される前記補充データのタイプを指示し、前記アプリケーションタイプを表すことを特徴とするデータ構造再生装置。
【請求項２８】
記録媒体にデータを記録するために光記録装置を駆動する駆動部と、
前記記録媒体に少なくとも一つのプレイアイテム及び少なくとも一つのサブパスを含むプレイリストを記録するために前記駆動部を制御する制御部と、を含み、
前記プレイアイテムは、記録媒体に記録されたメインデータの再生を管理するための管理情報を含み、
前記サブパスは、少なくとも一つのサブプレイアイテム及びタイプ指示子を含み、
前記サブプレイアイテムは、少なくとも一つのクリップ情報ファイルを識別し、
識別された前記クリップ情報ファイルの各々は、前記記録媒体から再生するための補充データの関連クリップを指示し、当該関連クリップ内の前記補充データのアプリケーションタイプを指示するアプリケーションタイプ指示子を提供し、
前記タイプ指示子は、前記サブパスによって管理される前記補充データのタイプを指示し、前記アプリケーションタイプを表すことを特徴とするデータ構造記録装置。